(57)【要約】【課題】  冷陰極蛍光管（ＣＣＦＬ）は、一般の蛍光灯（ＨＣＦＬ）に比べ細く、長寿命であり、消費電力が少なく、点滅に強く耐震性にも優れ、更に調光機能を有するものであるが、一般照明用としては、いまだ開発がなされていなかった。【解決手段】  冷陰極管灯具は、従来の蛍光灯取付具に通電ピンにより取付けられ、その上流側は、通常の家庭用等の交流電源Ｓに接続されるように構成されており、  冷陰極管灯具の透明、又は半透明の保護管の中には、少なくとも１本以上複数本の冷陰極管本体が設けられると共に、保護管の中には、点灯用インバーターを設けていることを特徴とする冷陰極管灯具を提供する。【選択図】図１
2013004508.tif 000002
【特許請求の範囲】
【請求項１】
冷陰極管灯具は、蛍光灯取付具に通電ピンにより取付けられ、
通電ピンの上流側は、通常の家庭用等の交流電源Ｓに接続されるように構成されており、
冷陰極管灯具の構成は、
冷陰極管本体の両端は、通電ピンにより蛍光灯取付具に導通され、冷陰極管灯具の透明、又は半透明の保護管の構成する空間内には、
少なくとも１本以上〜複数本の冷陰極管本体が設けられ、冷陰極管本体の上部には支持板が設けられ、点灯用インバーター等の器具が取付けられており、加えて支持板は、冷陰極管本体の光の反射板として照度を高めており、又は蓄光体支持板とすることを特徴とする冷陰極管灯具。
【請求項２】
冷陰極管灯具１の上部には、点灯用インバーターに加え、突入電流抑制装置Ｐ、及び／又はノイズ防止装置Ｎを設けたことを特徴とする請求項１記載の冷陰極管灯具。
【請求項３】
冷陰極管灯具のいずれか一部には、リモコン感知部が設けられており、リモコン器の操作により、冷陰極管本体の点灯数を変更でき、又調光を行うことができるよう構成されていることを特徴とする請求項１、又は請求項２記載の冷陰極管灯具。
【請求項４】
冷陰極管灯具のいずれか一部には、人感センサーが設けられ、人が近づくと自動点灯し、退去すると自動消灯できるように構成されていることを特徴とする請求項１、又は請求項２、又は請求項３記載の冷陰極管灯具。
【発明の詳細な説明】
【技術分野】
【０００１】  本発明は、冷陰極管灯具に関する。
【背景技術】
【０００２】  冷陰極蛍光管（ＣＯＬＤ  ＣＡＴＨＯＤＥ  ＦＬＵＯＲＥＳＣＥＮＴ  ＬＡＭＰ，略してＣＣＦＬ）は、「電極を過熱せず放電する機能」と「蛍光機能」の２つの現象を利用した照明装置で、一般の蛍光灯（ＨＣＦＬ）に比べ細く、長寿命であり、消費電力が少なく、点滅に強く耐震性にも優れ、更に調光機能を有するものである。【０００３】  そのため、液晶画面等のバックライト等に使われ始めているが一般照明用としては、いまだ開発がなされていなかった。
又、ＬＥＤ灯具も開発されているが、いまだ価格が高価で広く一般に使用する障害となっている。加えて個々のＬＥＤが球切れする欠点も有しており、より実用的、かつ安価な灯具が望まれていた。
【発明の概要】
【発明が解決しようとする課題】
【０００４】  本発明は、これらの多くの利点を有する冷陰極管を一般照明用に開発した冷陰極管灯具（以下ＣＣＦＬ灯具という）を提供するものである。
【課題を解決するための手段】
【０００５】  冷陰極管灯具は、蛍光灯取付具に通電ピンにより取付けられ、
通電ピンの上流側は、通常の家庭用等の交流電源Ｓに接続されるように構成されており、
冷陰極管灯具の構成は、
冷陰極管本体の両端は、通電ピンにより蛍光灯取付具に導通され、冷陰極管灯具の透明、又は半透明の保護管の構成する空間内には、
少なくとも１本以上〜複数本の冷陰極管本体が設けられ、冷陰極管本体の上部には支持板が設けられ、点灯用インバーター等の器具が取付けられており、加えて支持板は、冷陰極管本体の光の反射板として照度を高めており、又は蓄光体支持板とすることを特徴とする冷陰極管灯具を提供する。【０００６】  冷陰極管灯具１の上部には、点灯用インバーターに加え、突入電流抑制装置Ｐ、及び／又はノイズ防止装置Ｎを設けたことを特徴とする請求項１記載の冷陰極管灯具を提供する。【０００７】  冷陰極管灯具のいずれか一部には、リモコン感知部が設けられており、リモコン器の操作により、冷陰極管本体の点灯数を変更でき、又調光を行うことができるよう構成されていることを特徴とする請求項１、又は請求項２記載の冷陰極管灯具を提供する。【０００８】  冷陰極管灯具のいずれか一部には、人感センサーが設けられ、人が近づくと自動点灯し、退去すると自動消灯できるように構成されていることを特徴とする請求項１、又は請求項２、又は請求項３記載の冷陰極管灯具を提供する。
【発明の効果】
【０００９】  （１）一般の蛍光灯（ＨＣＦＬ）に比べ細く、長寿命であり、消費電力が少ない。
（２）点滅に強く耐震性にも優れている。
（３）更に調光機能を有するものである。
（４）リモコン器の操作により、冷陰極管本体の点灯数の変更や、調光を遠隔操作によ    り行うことができる。
（５）人感センサーにより自動点灯、または、自動消灯することができる。
（６）ＬＥＤ灯具に比べ、製作費が大幅に安価であり、又球切れの問題も少ないのであ    る。
（７）ＣＣＦＬ灯具１の保護管の内部にＣＣＦＬ管本体５と、点灯用インバーター６を    収納できるので外部機器の取付改造工事が不要である、加えて支持板は、冷陰極管本    体の光の反射板として照度を高めている。
（８）又は蓄光体支持板とすることにより残光を活用することができる。
【図面の簡単な説明】
【００１０】
【図１】実施例１の垂直断面拡大図である。
【図２】実施例１のＡ−Ａ水平断面拡大図である。
【図３】ＣＣＦＬ管本体の概略構成を示す拡大断面図である。
【図４】図１の断面Ｂ−Ｂを示す断面図である。
【図５】実施例２を示す垂直断面拡大図である。
【図６】実施例２の回路構成図である。
【図７】実施例１、又は実施例２の全体概略斜視図を示すものである。
【図８】実施例３の全体概略斜視図を示すものである。
【発明を実施するための形態】
【００１１】  本発明は、前述の多くの特徴を有する冷陰極管を通常の蛍光灯に変え、一般照明用の冷陰極管を用いた灯具を提供するものである。
しかもリモートコントロールにより、離れて操作し、人感センサー等も使用可能とした画期的な冷陰極管灯具（以下ＣＣＦＬ灯具という）を提供するものである。
【００１２】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００１３】  以下、本発明の実施例について、図面を参照しながら説明する。【００１４】  図１、図２に示すようにＣＣＦＬ灯具１は、蛍光灯取付具２に通電ピン３により取付けられる。通電ピン３の上流側は、通常の家庭用等の交流電源Ｓに接続されるように構成されている。【００１５】  ＣＣＦＬ灯具１の構成は、ＣＣＦＬ管本体５の両端には、通電ピン３により導通され、点灯用インバーター６を介して交流電源に接続されている。
ＣＣＦＬ管本体５及び点灯用インバーター６は、口金８に固定された透明、又は半透明の保護管７の構成する空間に設けられている。
ＣＣＦＬ管本体５の上部には支持板９が設けられ、点灯用インバーター６等の器具が取付けられており、加えて支持板９は、ＣＣＦＬ管本体５の光の反射板として、照度を高めている。【００１６】  更に、支持板をアルミン酸ストロンチウム等を含有する蓄光体支持板９ａとすることができる。
このように構成すると、消灯時にも蓄光体の残光効果により、真っ暗とならず移動等が容易となる効果を発揮できる。【００１７】  ＣＣＦＬ管本体５は、保護管７の構成する空間内には、少なくとも１本以上複数本設けられる。
図２は、実施例１のＡ−Ａ水平断面拡大図であり、この実施例では２本のＣＣＦＬ管本体５が設けられている。【００１８】  図３は、ＣＣＦＬ管本体５の構成を示す拡大断面図である。
ＣＣＦＬ管本体５の両端には、電極１０が設けられており、外部電源Ｓと導通している。
蛍光管１１の内側には、蛍光体１２が、蒸着、又は塗布、焼き付け等の手段により設けられる。【００１９】  電極１０に電圧が課せられると、蛍光管１１の内部に充填された例えば、Ｈｇ、Ａｒ、Ｎｅ等の封入ガスを介して放電が行われ、蛍光体１２が感知して、光を発するのである。【００２０】  図４は、図１の断面Ｂ−Ｂを示すもので、ＣＣＦＬ灯具１の構成を示す。
ＣＣＦＬ管本体５の直径は、１．５ｍｍ〜１０ｍｍと、通常の蛍光管に比べ細いことが特徴であり、そのため強度確保のため、支持具１３が設けられ、支持板９、又は蓄光体支持板９ａに取付けられる。
【実施例２】
【００２１】  図５は、実施例２を示す垂直断面拡大図である。
本実施例２は、ＣＣＦＬ灯具１の上部に、点灯用インバーター６に加え、突入電流抑制装置Ｐ、及び／又はノイズ防止装置Ｎを設けたものである。
このように構成することで、点灯時の突入電流を抑制することにより、接続機器への停電や過電流による故障を防止することができる。
特にコンピューター等が接続されていることの多い工場、事務所においては、万一のデータ喪失を防止できる。
又ノイズ防止装置Ｎにより発生ノイズを軽減することができるのである。【００２２】  図６は、実施例３の突入電流抑制装置Ｐ、及びノイズ防止装置Ｎを設けた回路構成図である。
図７は、１、又は実施例２の全体概略斜視図を示すものである。
【実施例３】
【００２３】  実施例３の全体斜視図を図８に示す。
本実施例は、ＣＣＦＬ灯具１の機能を大幅に高め、その利用形態を大幅に拡大するものである。
ＣＣＦＬ管本体５のいずれか一部には、リモコン感知部２０が設けられており、リモコン器２１の操作により、ＣＣＦＬ管本体５の点灯数を変更でき、又調光を行うことができるよう構成されている。
又、ＣＣＦＬ灯具１のいずれか一部には、人感センサー２２が設けられ、人が近づくと自動点灯し、退去すると自動消灯できるように構成されている。
【産業上の利用可能性】
【００２４】  本発明の活用例としては、以上説明したように、ＣＣＦＬ灯具の多くの特長により、極めて実用的、かつ安価な構成を提供することにより利便性を大幅に高め、新商品による産業の発展に貢献できる、きわめて新規かつ、実用的な発明である。
【符号の説明】
【００２５】Ｓ    交流電源
Ｐ    突入電流抑制装置
Ｎ    ノイズ防止装置
１    ＣＣＦＬ灯具
２    蛍光灯取付具
３    通電ピン
４    安定器
５    ＣＣＦＬ管本体
６    点灯用インバーター
７    保護管
８    口金
９    支持板
９ａ  蓄光体支持板
１０  電極
１１  蛍光管
１２  蛍光体
１３  支持具
２０  リモコン
２１  リモコン器
２２  人感センサー
【図１】
2013004508.tif 000003
【図２】
2013004508.tif 000004
【図３】
2013004508.tif 000005
【図４】
2013004508.tif 000006
【図５】
2013004508.tif 000007
【図６】
2013004508.tif 000008
【図７】
2013004508.tif 000009
【図８】
2013004508.tif 000010